(57)【要約】  本発明は、広告内容が印刷されている垂れ幕と、前記垂れ幕の縁に設けられたフレーム収容部と、前記フレーム収容部に挿入され、弾性力を利用して前記垂れ幕の外形を形成するフレームと、前記フレーム収容部に所定の間隙で形成され、前記垂れ幕を支持する垂れ幕支持台のポールに結合されるポール取付部とを有して構成されており、前記フレームは弾性体であって、両側端部が相互に一体に結合されてループ状に形成されるのではなく、互いに分離されていることを特徴とする弾性フレームを備えた垂れ幕に関するものである。
2008505354.tif 000002
【特許請求の範囲】
【請求項１】
広告内容が印刷されている垂れ幕と、
前記垂れ幕の縁に設けられたフレーム収容部と、
前記フレーム収容部に挿入され、弾性力を利用して前記垂れ幕の外形を形成するフレームと、
前記フレーム収容部に所定の間隙で形成され、前記垂れ幕を支持する垂れ幕支持台のポールに結合されるポール取付部とを有して構成されており、
前記フレームは弾性体であって、両側端部が相互に一体に結合されてループ状に形成されるのではなく、互いに分離されていることを特徴とする弾性フレームを備えた垂れ幕。
【請求項２】
前記フレームは、
ストリップ（Strip）形状の金属材料、またはチューブ（Tube）形状の複合素材で形成されることを特徴とする請求項１に記載の弾性フレームを備えた垂れ幕。
【請求項３】
前記フレーム収容部は、
前記垂れ幕の一側縁に設けられた第１フレーム収容部と、
前記垂れ幕の他側縁に前記第１フレーム収容部及び第２フレーム収容部とで構成されており、
前記垂れ幕の縁全体が前記第１フレーム収容部及び前記第２フレーム収容部によって取り囲まれ、
前記フレームの一側端部が前記第１フレーム収容部を通過した後、前記フレームの他側端部と交差した後、前記第２フレーム収容部を通過し、前記フレームの他側端部と再び出会うように、前記フレーム、前記第１フレーム収容部及び前記第２フレーム収容部が結合され、前記フレームの形状が「８字」形状を有するように捩じられており、前記フレームの両側端部には、それぞれ曲面の端部形状を有するキャップ（Cap）が結合されることを特徴とする請求項１または請求項２に記載の弾性フレームを備えた垂れ幕。
【請求項４】
前記フレーム収容部は、
前記垂れ幕の一側縁に設けられた第１フレーム収容部と、
前記垂れ幕の他側縁に設けられた第２フレーム収容部とで構成されており、
前記垂れ幕の縁全体が前記第１フレーム収容部及び前記第２フレーム収容部によって取り囲まれ、
前記フレームは、
前記第１フレーム収容部に挿入されて結合される第１フレームと、
前記第２フレーム収容部に挿入されて結合される第２フレームとで構成されており、
前記第１フレーム及び前記第２フレームの両側端部には、それぞれ曲面の端部形状を有するキャップ（Cap）が結合されることを特徴とする請求項１または請求項２に記載の弾性フレームを備えた垂れ幕。
【請求項５】
前記フレーム収容部は、
前記垂れ幕の一側縁に設けられた第１フレーム収容部と、
前記垂れ幕の他側縁に前記第１フレーム収容部と所定の間隙を保持するように設けられた第２フレーム収容部とで構成されており、
前記フレームは、
前記第１フレーム収容部に挿入されて結合される第１フレームと、
前記第２フレーム収容部に挿入されて結合される第２フレームとで構成されており、
前記第１フレーム及び前記第２フレームの両側端部には、それぞれ曲面の端部形状を有するキャップ（Cap）が結合されることを特徴とする請求項１または請求項２に記載の弾性フレームを備えた垂れ幕。
【発明の詳細な説明】
【技術分野】
【０００１】
本発明は、広告用垂れ幕の構造に関する発明である。より詳細には、垂れ幕の縁に設けられたフレーム収容部に挿入され、弾性力を利用して、前記垂れ幕の外形を形成するフレームを有して構成される弾性フレームを備えた垂れ幕に関するものである。
【背景技術】
【０００２】
一般に、広告内容や各種行事内容が印刷されている垂れ幕は、種々の形態に作成され、横方向または縦方向に道路周辺に設置されている。
【０００３】
縦方向に掲げられる垂れ幕において、図１に示すように、支持台を垂直に設置し、支持台の長手方向に沿って設置される垂れ幕の縦方向の長さにあたる間隙を保持するようにした１対の横棒を設置し、垂れ幕の上部及び下部を横棒にかけて固定されるようにし、垂れ幕の上部及び下部には、それぞれ垂れ幕の横方向の幅にあたる支持フレームが形成されている。
【０００４】
しかしながら、このように、縦方向に掲げられる垂れ幕の場合には、垂れ幕の上部及び下部がそれぞれ横棒に固定されてはいるが、ただ、垂れ幕の上部及び下部に形成された支持フレームが横棒にかかっている状態であることから、固定状態が堅固ではないという問題点を有している。
【０００５】
このため、強い風などによって垂れ幕が横棒から分離されてなびくと、安全事故の危険性があり、さらに、垂れ幕の広告効果が低下するとともに、美観を阻害するという問題点がある。
【０００６】
また、別途の支持台を地面に固定して設置していることから、設置場所に制限があり、かつ、作業費用が増大するという問題点もある。
【０００７】
このような問題を解決するために、別途の支持台を設置する必要のない垂れ幕の据置台が開発された。図２に示すような垂れ幕の据置台は、水で満たされた水筒で受台部材を形成し、受台部材に起立設置される垂直部材と、垂れ幕の上端を支持する上部ポール、及び垂れ幕の下端を支持する下部ポールとを有して構成されている。このような据置台に設置される垂れ幕には、別途のフレームが形成されず、上部ポール及び下部ポールの弾性力によって垂れ幕がぴんと張って支持されるようになる。
【０００８】
このように、垂れ幕が４方向にぴんと引っ張られることによって、平らな状態を保持するようになる。しかしながら、このような垂れ幕は、人々が広告内用が印刷されている垂れ幕の一方からのみ垂れ幕を見るようになり、広告効果が低下するという問題点がある。
【発明の開示】
【発明が解決しようとする課題】
【０００９】
そこで、本発明は上記従来の問題点に鑑みてなされたものであって、本発明の第１の目的は、地面に固定設置するための別途の支持台を必要としない垂れ幕の構造を提供することである。
【００１０】
第２の目的は、据置台を用いて堅固、かつ、安全に設置することができる垂れ幕の構造を提供することである。
【００１１】
第３の目的は、垂れ幕が据置された状態で、立体的な形態を保持することができる垂れ幕の構造を提供することである。
【００１２】
第４の目的は、種々の形態を実現することができる垂れ幕の構造を提供することである。
【課題を解決するための手段】
【００１３】
上記目的を達成するためになされた本発明の構成は次のとおりである。
【００１４】
本発明の弾性フレームを備えた垂れ幕は、広告内容が印刷されている垂れ幕と、前記垂れ幕の縁に設けられたフレーム収容部と、前記フレーム収容部に挿入され、弾性力を利用して前記垂れ幕の外形を形成するフレームと、及び前記フレーム収容部に所定の間隙で形成され、前記垂れ幕を支持する垂れ幕支持台のポールに結合されるポール取付部とを有して構成されており、前記フレームは弾性体であって、両側端部が相互に一体に結合されてループ状に形成されるのではなく、互いに分離されていることを特徴とする。
【発明を実施するための最良の形態】
【００１５】
次に、添付した図面を用いながら、本発明の具体的実施例を詳細に説明する。
【００１６】
図３に示すように、広告内用が印刷されている垂れ幕１００と、垂れ幕１００の縁に設けられたフレーム収容部２００と、フレーム収容部２００に挿入されて弾性力を利用して垂れ幕１００の外形を形成するフレーム３００と、及びフレーム収容部２００に所定の間隙で形成され、垂れ幕１００を支持する垂れ幕支持台のポールに結合されるポール取付部４００とを有して構成されており、フレーム３００は、弾性体であって、両側端部が相互に一体に結合され、ループ状に形成されるのではなく、互いに分離されている。
【実施例１】
【００１７】
以下、図３に示される本発明の実施例をより詳細に説明する。
【００１８】
垂れ幕１００は、広告内用が印刷されており、垂れ幕の支持台に据置して掲げられる。
【００１９】
フレーム収容部２００は、垂れ幕１００の縁に沿って設けられた第１フレーム収容部２１０と、第２フレーム収容部２２０とに分けられる。さらに言えば、第１フレーム収容部２１０は、垂れ幕１００の一側縁の上部に設けられている。また、第２フレーム収容部２２０は、垂れ幕１００の他側縁の下部に、第１フレーム収容部２１０と所定の間隙を保持するように設けられている。
【００２０】
このように、垂れ幕１００の上部縁には、第１フレーム収容部２１０が設けられており、垂れ幕１００の下部縁には、第２フレーム収容部２２０が設けられている。すなわち、垂れ幕１００の縁全体にかけてフレーム収容部２００が設けられることになる。
【００２１】
図示するように、フレーム３００は、ストリップ（Strip）形状の金属材料で形成される。フレーム３００の一側端部が第１フレーム収容部２１０を通過した後、フレーム３００の他側端部と交差するようになる。その後、フレーム３００の一側端部は、第２フレーム収容部２２０を通過し、フレーム３００の他側端部と再び出会う。もちろん、フレーム３００の両側端部が出会っても、直接接触されて一体に固定されるわけではない。ただ、フレーム収容部２００に挿入される状態となる。
【００２２】
上記のように、フレーム３００が第１フレーム収容部２１０及び第２フレーム収容部２２０に結合され、全体的にフレーム３００は「８字」形状をなすようになる。
【００２３】
また、フレーム３００の両側端部には、それぞれ曲面の端部形状を有するキャップ３３０が結合されており、該キャップ３３０は、フレーム３００の端部を第１フレーム収容部２１０及び第２フレーム収容部２２０の内部に容易に挿入されるようにする役割をする。
【００２４】
図示されていないが、フレーム３００が挿入される第１フレーム収容部２１０の入口にはジッパーが形成されており、フレーム３００が抜け出る第１フレーム収容部２１０の出口は開放されている。
【００２５】
また、「８字」形状に捩じられたフレーム３００が挿入される第２フレーム収容部２２０の入口は開放されており、第２フレーム収容部２２０は、別途の出口が形成されないで、入口の反対側は塞がっている。
【００２６】
これにより、フレーム３００が第１フレーム収容部２１０及び第２フレーム収容部２２０をいずれも通過し、第２フレーム収容部２２０の塞がっている端部にフレーム３００の一側端部が達すると、使用者は、第１フレーム収容部２１０の入口に形成されたジッパーを閉じることになる。このようにして、フレーム３００は「８字」形状に捩じられた状態で、第１フレーム収容部２１０及び第２フレーム収容部２２０の内部に結合される状態を保持する。
【００２７】
このような状態で、フレーム収容部２００に所定の間隙で設けられたポール取付部４００に垂れ幕１００を支持する垂れ幕支持台のポールを取り付ける。これにより、ポールの弾性力と「８字」形状に捩じられたフレーム３００の弾性力によって、垂れ幕は単純に平面形状を保持するのではなく、立体的な外形を形成し、垂れ幕１００の両側面からでも広告内用を見ることができるようになる。その結果、垂れ幕１００の広告効果が増大する。
【００２８】
フレーム３００の具体的な形状は、図示するようなストリップ（Strip）形状の金属材料に限定されるのではなく、図示されていないが、フレーム３００は、チューブ（Tube）形状の複合素材を使用することも可能である。
【実施例２】
【００２９】
図４に示される本発明の他の具体的実施例を詳細に説明する。
【００３０】
垂れ幕１００は、広告内用が印刷されており、垂れ幕支持台に据置されて掲げられる。
【００３１】
フレーム収容部２００は、垂れ幕１００の一側縁に設けられた第１フレーム収容部２１０と、垂れ幕１００の他側縁に設けられた第２フレーム収容部２２０とで構成されており、垂れ幕１００の縁全体が第１フレーム収容部２１０及び第２フレーム収容部２２０によって取り囲まれている。
【００３２】
さらに言えば、垂れ幕１００の上部には、第１フレーム収容部２１０が設けられており、また、垂れ幕１００の下部には、第２フレーム収容部２２０が設けられている。
【００３３】
図４に示すように、フレーム３００は、第１フレーム収容部２１０に挿入されて結合される第１フレーム３１０と、第２フレーム収容部２２０に挿入されて結合される第２フレーム３２０とに分けられる。また、フレーム３００において、第１フレーム３１０及び第２フレーム３２０の両側端部には、それぞれ曲面の端部形状を有しているキャップ３３０が結合されている。
【００３４】
図示されていないが、第１フレーム３１０が挿入される第１フレーム収容部２１０の入口にはジッパーが形成されており、第１フレーム収容部２１０には、第１フレーム３１０が抜け出る別途の出口は存在しない。そして、第１フレーム収容部２１０の入口の反対側は塞がっている。
【００３５】
これにより、第１フレーム３１０が挿入された後、使用者が第１フレーム収容部２１０の入口に形成されたジッパーを閉じると、第１フレーム３１０は、第１フレーム収容部２１０に結合された状態を保持するようになる。
【００３６】
また、第２フレーム収容部２２０は、第２フレーム３２０が挿入される第１フレーム収容部２１０の入口に形成されたジッパーを有している。そして、第２フレーム収容部２２０には、第２フレーム３２０が抜け出る別途の出口は存在しないで、入口の反対側は塞がっている。
【００３７】
これにより、第２フレーム３２０が挿入された後、使用者が第２フレーム収容部２２０の入口に形成されたジッパーを閉じると、第２フレーム３２０は、第２フレーム収容部２２０に結合された状態を保持するようになる。
【００３８】
このような状態で、フレーム収容部２００に所定の間隙で形成されたポール取付部４００に垂れ幕１００を支持する垂れ幕支持台のポールが結合される。これにより、ポールの弾性力と、垂れ幕１００上部の第１フレーム３１０及び垂れ幕１００下部の第２フレーム３２０の弾性力によって、垂れ幕１００は単純な平面形状を保持するのでなく、立体的な外形を形成し、垂れ幕１００の両側面からでも広告内用を見ることができ、垂れ幕１００の広告効果が増大する。
【００３９】
フレーム３００の具体的な形状は、図示しているストリップ（Strip）形状の金属材料に限定されるのではない。図示されていないが、チューブ（Tube）形状の複合素材を使用することも可能である。
【実施例３】
【００４０】
図５に示される本発明のまた他の具体的実施例を説明する。
【００４１】
垂れ幕１００は、広告内用が印刷されており、垂れ幕の支持台に据置されて掲げられる。
【００４２】
フレーム収容部２００は、垂れ幕１００の一側縁に設けられた第１フレーム収容部２１０と、垂れ幕１００の他側縁に第１フレーム収容部２１０と所定の間隙を保持するように設けられた第２フレーム収容部２２０とで構成されている。
【００４３】
このように、垂れ幕１００の縁全体にかけてフレーム収容部２００が形成されるのではなく、垂れ幕１００の縁の一部には、フレーム収容部２００が形成されていない。すなわち、垂れ幕１００の上部及び下部には、それぞれ第１フレーム収容部２１０及び第２フレーム収容部２２０が設けられているが、垂れ幕１００の中間部位には、フレーム収容部２００が設けられていない。
【００４４】
フレーム３００は、第１フレーム収容部２１０に挿入されて結合される第１フレーム３１０と、第２フレーム収容部２２０に挿入されて結合される第２フレーム３２０とで構成されており、第１フレーム３１０及び第２フレーム３２０の両側端部には、それぞれ曲面の端部形状を有するキャップ３３０が結合される。
【００４５】
図示されていないが、第１フレーム３１０が挿入される第１フレーム収容部２１０の入口にはジッパーが形成されており、第１フレーム収容部２１０には第１フレーム３１０が抜け出る別途の出口は形成されていない。第１フレーム収容部２１０の入口の反対側は塞がっている。
【００４６】
これにより、第１フレーム３１０が挿入された後、使用者が第１フレーム収容部２１０の入口に形成されたジッパーを閉じると、第１フレーム３１０は、第１フレーム収容部２１０に結合された状態を保持するようになる。
【００４７】
さらに、第２フレーム３２０が挿入される第１フレーム収容部２１０の入口にもジッパーが形成されている。また、第２フレーム収容部２２０にも第１フレーム３１０が抜け出る別途の出口は形成されず、入口の反対側は塞がっている。
【００４８】
これにより、第２フレーム３２０が挿入された後、第２フレーム収容部２２０の入口に設けられたジッパーを閉じると、第２フレーム３２０は、第２フレーム収容部２２０に結合された状態を保持するようになる。
【００４９】
このような状態でフレーム収容部２００に所定の間隙で設けられたポール取付部４００に垂れ幕１００を支持する垂れ幕支持台のポールが結合される。これにより、ポールの弾性力と、垂れ幕１００上部の第１フレーム３１０、及び垂れ幕１００下部の第２フレーム３２０の弾性力によって、垂れ幕１００は単純な平面形状を維持するのではなく、立体的な外形を形成するようになり、垂れ幕１００の両側面からでも広告内用を見ることが可能になり、垂れ幕１００の広告効果が増大する。
【００５０】
フレーム３００の具体的な形状は図示されているストリップ（Strip）形状の金属材料に限定されるのではない。図示されていないが、チューブ（Tube）形状の複合素材を使用することも可能である。
【産業上の利用可能性】
【００５１】
本発明の構成による弾性フレームを備えた垂れ幕の技術的効果は次のとおりである。
【００５２】
第１に、弾性フレームを備えた垂れ幕は、地面に固定設置するための別途の支持台を必要としない。
【００５３】
本発明は、地面に固定設置するための別途の支持台を必要としないで、移動可能な垂れ幕据置台を使用する垂れ幕構造を提供することで、垂れ幕の取り付け、移動及び撤去作業をより容易に行うことができる。
【００５４】
第２に、弾性フレームを備えた垂れ幕は、据置台を利用して堅固、かつ、安全に設置されることができる。
【００５５】
本発明は、図１に示す従来の垂れ幕とは異なり、垂れ幕フレームの弾性力と、垂れ幕据置台のポールの弾性力を利用し、垂れ幕を堅固、かつ、安全に設置することができる。
【００５６】
第３に、弾性フレームを備えた垂れ幕は、垂れ幕が据置された状態で立体的な形状を保持することができる。
【００５７】
本発明は、フレームの弾性力を利用し、垂れ幕を単純に平面的に広げて掲げるのではなく、使用者が望むとおりの立体的な形状を有する垂れ幕を作成し、据置することができるというメリットがあり、広告効果を増大させることができる。
【００５８】
第４に、弾性フレームを備えた垂れ幕は、種々の形態に実現することができる垂れ幕の構造を提供する。
【００５９】
本発明は、使用者が要望に応じて垂れ幕の縁の形状及びフレーム収容部の位置を決定し、ポール取付部の位置を適宜選択することによって、様々な形態の垂れ幕を実現することができる。
【図面の簡単な説明】
【００６０】
【図１】従来の支持台を利用した垂れ幕を示した斜視図。
【図２】従来の垂れ幕及びこれを据置する据置台を示した斜視図。
【図３】本発明の具体的実施例を示した斜視図。
【図４】本発明の他の具体的実施例を示した斜視図。
【図５】本発明のまた他の具体的実施例を示した斜視図。
【符号の説明】
【００６１】
１００…垂れ幕
２００…フレーム収容部
２１０…第１フレーム収容部
２２０…第２フレーム収容部
３００…フレーム
３１０…第１フレーム
３２０…第２フレーム
３３０…キャップ
４００…ポール取付部
【図１】
2008505354.tif 000003
【図２】
2008505354.tif 000004
【図３】
2008505354.tif 000005
【図４】
2008505354.tif 000006
【図５】
2008505354.tif 000007
【国際調査報告】
2008505354.tif 000008
2008505354.tif 000009